(57)【要約】【課題】ガイドシューの摺接部の交換を容易に行なうことができるとともに、小型化を実現させることができるエレベータのガイドシュー交換治具の提供。【解決手段】乗かご６の昇降を案内するガイドレール１に摺接する摺接部３ｂ、及びこの摺接部３ｂを保持し、乗かご６に固定されるシューボックス３ａを有するガイドシュー３と、ガイドレール１からの乗かご６の離脱を防ぐ外れ止め部材７を備えたエレベータにあって、ガイドシュー３の摺接部３ｂの交換に用いられる交換治具において、ガイドレール１に当接する先端部４ａと、この先端部４ａの反対側に位置し作業者によって把持される操作部４ｂと、先端部４ａと操作部４ｂとの間に配置され、外れ止め部材７に当接する当接部４ｃとを有し、ガイドレール１の延設方向に沿って伸びる長尺部材から成る本体部材４と、この本体部材４とガイドレール１との間に挿入される楔部材５とを備えた。【選択図】図３
2011093641.tif 000002
【特許請求の範囲】
【請求項１】
乗かごと、この乗かごの昇降を案内するガイドレールと、このガイドレールに摺接する摺接部、及びこの摺接部を保持し、上記乗かごに固定されるシューボックスを有するガイドシューと、上記乗かごに固定され、上記ガイドレールからの上記乗かごの離脱を防ぐ外れ止め部材とを備えたエレベータにあって、上記ガイドシューの上記摺接部の交換に用いられるエレベータのガイドシュー交換治具において、
上記ガイドレールに当接する先端部と、この先端部の反対側に位置し作業者によって把持される操作部と、上記先端部と上記操作部との間に配置され、上記外れ止め部材に当接する当接部とを有し、上記ガイドレールの延設方向に沿って伸びる長尺部材から成る本体部材と、
この本体部材と上記ガイドレールとの間に挿入される楔部材とを備えたことを特徴とするエレベータのガイドシュー交換治具。
【請求項２】
請求項１に記載のエレベータのガイドシュー交換治具において、
上記本体部材は、剛性を有する金属板から成ることを特徴とするエレベータのガイドシュー交換治具。
【請求項３】
請求項１に記載のエレベータのガイドシュー交換治具において、
上記本体部材の上記当接部は、側面視が略Ｌ字状に形成されて、上記外れ止め部材の上に配置され、上記本体部材の落下を防ぐ落下防止部を兼ねることを特徴とするエレベータのガイドシュー交換治具。
【請求項４】
請求項１〜３のいずれか１項に記載のエレベータのガイドシュー交換治具において、
上記楔部材は、弾性体から成ることを特徴とするエレベータのガイドシュー交換治具。
【発明の詳細な説明】
【技術分野】
【０００１】
本発明は、ガイドレールに摺接する摺接部、及びこの摺接部を保持し、乗かごに固定されるシューボックスを有するガイドシューを備えたエレベータにあって、ガイドシューの摺接部の交換に用いられるエレベータのガイドシュー交換治具に関する。
【背景技術】
【０００２】
一般にエレベータの乗かごは、この乗かごに設けたガイドシューを、昇降路に立設されたガイドレールに係合させた状態とすることにより、このガイドレールに案内されて昇降するようになっている。ガイドシューは、ガイドレールに摺接する摺接部、及びこの摺接部を保持し、乗かごに固定されるシューボックスを有している。ガイドシューの摺接部はガイドレールに常時摺接することから、乗かごの昇降に伴って経年的に摩耗する。このガイドシューの摺接部が一定以上摩耗すると、乗かごの乗り心地に悪影響を及ぼす。このために、ガイドシューの摺接部を定期的に交換することが行なわれている。
【０００３】
一般に乗かごは、その両側に設けられた一対のガイドシューが、２本のガイドレールの該当するものにそれぞれ係合することで、ガイドレールに案内されて昇降するようになっている。ここで、乗かごは、その構造上の理由から偏荷重が付加されており、いずれかのガイドレール方向に偏って案内されることが多い。したがって、ガイドシューの摺接部は上述の偏荷重によってガイドレールに強く押し付けられているので、上述の偏荷重を軽減する方向に乗かごを変位させなければ、ガイドシューの摺接部を交換することはできなかった。
【０００４】
そこで従来、ガイドレールに締結した部材から螺進可能にスタットボルトを設け、このスタットボルトで乗かごを押圧することで上述の偏荷重を軽減し、ガイドシューの摺接部を交換するガイドシュー交換治具が提案されていた（特許文献１参照）。
【先行技術文献】
【特許文献】
【０００５】
【特許文献１】特開平８−１３３６２６号公報
【発明の概要】
【発明が解決しようとする課題】
【０００６】
上述した従来のガイドシュー交換治具は、ガイドレールに締結する本体部の縦横の長さ寸法が、ガイドレールの長手方向に直交する方向の寸法に比べて数倍の大きな寸法となるように形成されていることから、全体が大型化し、運搬が煩雑となる問題があった。また、ガイドシューの摺接部の交換に際し、スタッドボルトの螺進退を介してガイドシュー交換治具を、ガイドレールに対して取り付け、取り外しすることから、このガイドシューの摺接部の交換作業が煩雑となる問題もあった。
【０００７】
本発明は、上述した従来技術における実状からなされたもので、その目的は、ガイドシューの摺接部の交換を容易に行なうことができるとともに、小型化を実現させることができるエレベータのガイドシュー交換治具を提供することにある。
【課題を解決するための手段】
【０００８】
上記目的を達成するために、本発明に係るエレベータのガイドシュー交換治具は、乗かごと、この乗かごの昇降を案内するガイドレールと、このガイドレールに摺接する摺接部、及びこの摺接部を保持し、上記乗かごに固定されるシューボックスを有するガイドシューと、上記乗かごに固定され、上記ガイドレールからの上記乗かごの離脱を防ぐ外れ止め部材とを備えたエレベータにあって、上記ガイドシューの上記摺接部の交換に用いられるエレベータのガイドシュー交換治具において、上記ガイドレールに当接する先端部と、この先端部の反対側に位置し作業者によって把持される操作部と、上記先端部と上記操作部との間に配置され、上記外れ止め部材に当接する当接部とを有し、上記ガイドレールの延設方向に沿って伸びる長尺部材から成る本体部材と、この本体部材と上記ガイドレールとの間に挿入される楔部材とを備えたことを特徴としている。
【０００９】
このように構成した本発明は、ガイドシューの摺接部の交換に際し、本体部材の操作部を把持して、本体部材を、その先端部がガイドレールに当接するように、また、その当接部が外れ止め部材に当接するように配置し、この状態でガイドレールと本体部材の操作部との間に楔部材を挿入し、押し込むことが行なわれる。これにより、ガイドレールに当接する本体部材の先端部が支点、外れ止め部材に当接する当接部が作用点、楔部材が当接する本体部材の操作部が力点を形成するてこの原理によって、乗かごに固定される外れ止め部材をガイドレールに対して移動させ、すなわちガイドレールに対して乗かごを移動させ、乗かごに固定されるガイドシューを介してガイドレールに与えられる乗かごに付加された偏荷重による影響を軽減させ、この乗かごに付加された偏荷重によるガイドレールに対するガイドシューの押し付け力を小さくすることができる。これによって、ガイドシューの摺接部の交換を容易に行なうことができる。また、本発明は、先端部、操作部、及び当接部を有する本体部材と、楔部材とを備えた簡単な構成であるとともに、本体部材の長手方向と直交する幅方向の寸法を、ガイドレールの長手方向と直交する方向のガイドレールの寸法に比べて小さく設定できることから、小型化を実現させることができる。
【００１０】
また、本発明に係るエレベータのガイドシュー交換治具は、上記発明において、上記本体部材は、剛性を有する金属板から成ることを特徴としている。このように構成した本発明は、本体部材が剛性を有する金属板から成るので、楔部材との間に大きな接触面積を確保でき、これにより、ガイドレールと本体部材の操作部との間に楔部材を安定して挿入させることができ、てこの原理の有効活用に貢献する。
【００１１】
また、本発明に係るエレベータのガイドシュー交換治具は、上記発明において、上記本体部材の上記当接部は、側面視が略Ｌ字状に形成されて、上記外れ止め部材の上に配置され、上記本体部材の落下を防ぐ落下防止部を兼ねることを特徴としている。このように構成した本発明は、落下防止部を兼ねる本体部材の当接部によって、交換作業中の本体部材の落下を防ぐことができるので、本体部材の落下の懸念なくガイドシューの摺接部の交換を容易に行なうことができ、交換作業の能率向上に貢献する。
【００１２】
また、本発明に係るエレベータのガイドシュー交換治具は、上記発明において、上記楔部材は、弾性体から成ることを特徴としている。このように構成した本発明は、楔部材が弾性体から成るので、この楔部材が接触するガイドレール及び本体部材の損傷を防ぐことができ、信頼性の高い交換作業を実現させることができる。
【発明の効果】
【００１３】
本発明は、乗かごが案内されるガイドレールに当接する先端部と、この先端部の反対側に位置し作業者によって把持される操作部と、先端部と操作部との間に配置され、乗かごに固定される外れ止め部材に当接する当接部とを有する本体部材と、この本体部材とガイドレールとの間に挿入される楔部材とを備えたことから、ガイドシューの摺接部の交換に際し、てこの原理によって、乗かごに付加された偏荷重による影響を軽減させ、ガイドレールに対するガイドシューの押し付け力を小さくすることができる。これによって、ガイドシューの摺接部の交換を容易に行なうことができ、この交換作業の能率を従来に比べて向上させることができるとともに、交換作業者の負担を従来よりも軽減させることができる。また、本発明は、先端部、操作部、及び当接部を有する本体部材と、楔部材とを備えた簡単な構成であるとともに、本体部材の長手方向と直交する幅方向の寸法を、ガイドレールの長手方向と直交する方向のガイドレールの寸法に比べて小さく設定できることから、小型化を実現させることができ、従来に比べて優れた運搬性を確保することができる。
【図面の簡単な説明】
【００１４】
【図１】ガイドシューの摺接部の交換に際し、本発明に係るガイドシュー交換治具の一実施形態に備えられる本体部材を配置した状態を示す正面図である。
【図２】図１の側面図である。
【図３】ガイドシューの摺接部の交換に際し、本実施形態に係るガイドシュー交換治具に備えられる楔部材をガイドレールと本体部材との間に挿入した状態を示す正面図である。
【図４】本実施形態に係るガイドシュー交換治具が用いられるエレベータの要部構成を示す平面図である。
【図５】図４の側面図である。
【発明を実施するための形態】
【００１５】
以下、本発明に係るエレベータのガイドシュー交換治具の実施の形態を図に基づいて説明する。
【００１６】
図４は、本実施形態に係るガイドシュー交換治具が用いられるエレベータの要部構成を示す平面図、図５は図４の側面図である。
【００１７】
これらの図４，５に示すように、エレベータは、乗かご６と、この乗かご６の昇降を案内する一対のガイドレール１と、これらのガイドレール１に摺接する摺接部３ｂ、及びこの摺接部３ｂを保持し、乗かご６に固定されるシューボックス３ａを有するガイドシュー３とを備えている。ガイドシュー３は、左右、上下に計４個設けられている。また、上下のガイドシュー３の中間位置には、乗かご６からガイドレール１方向へ向かって延設され、ガイドレール１と係合する外れ止め部材７が、左右、上下に計４個設けられている。乗かご６に大きな揺れを生じた際などに、この外れ止め部材７が乗かご６の変位を抑制して、乗かご６がガイドレール１から外れないように構成されている。
【００１８】
図１は、ガイドシューの摺接部の交換に際し、本発明に係るガイドシュー交換治具の一実施形態に備えられる本体部材を配置した状態を示す正面図、図２は図１の側面図、図３は、ガイドシューの摺接部の交換に際し、本実施形態に係るガイドシュー交換治具に備えられる楔部材をガイドレールと本体部材との間に挿入した状態を示す正面図である。
【００１９】
本実施形態に係るガイドシュー交換治具は、図１，２に示すように、ガイドレール１に当接する先端部４ａと、この先端部４ａの反対側に位置し作業者によって把持される操作部４ｂと、先端部４ａと操作部４ｂとの間に配置され、外れ止め部材７に当接する当接部４ｃとを有し、ガイドレール１の延設方向に沿って伸びる長尺部材から成る本体部材４を備えている。この本体部材４の長手方向と直交する幅方向の寸法は、図２に示すように、ガイドレール１の長手方向と直交する方向のガイドレール１の寸法に比べて十分に小さく設定されている。また、本実施形態に係るガイドシュー交換治具は、図３に示すように、本体部材４とガイドレール１との間に挿入される楔部材５を備えている。
【００２０】
本体部材４は、例えば剛性を有する金属板から成っている。この本体部材４の当接部４ｃは、例えば側面視が略Ｌ字状に形成されて、外れ止め部材７の上に配置され、本体部材４の落下を防ぐ落下防止部を兼ねている。また、上述の楔部材５は、例えば弾性体から成っている。
【００２１】
ガイドシュー３の摺接部３ｂの交換に際しては、例えば本体部材４の操作部４ｂを把持して、図１，２に示すように、本体部材４を、その先端部４ａがガイドレール１に当接するように配置し、また、その当接部４ｃが外れ止め部材７の上にあってこの外れ止め部材７に当接するようにして配置して、この本体部材４を高さ方向に対して位置決めする。この状態で図３に示すように、ガイドレール１と本体部材４の操作部４ｂとの間に楔部材５を挿入し、押し込むことが行なわれる。
【００２２】
このように楔部材５が押し込まれると、ガイドレール１に当接する本体部材４の先端部４ａが支点、外れ止め部材７に当接する当接部４ｃが作用点、楔部材５が当接する本体部材の操作部４ｂが力点を形成するてこの原理によって、乗かご６に固定される外れ止め部材７がガイドレール１に対して移動し、すなわちガイドレール１に対して乗かご６が図３の右方向に移動する。この乗かご６の移動により、乗かご６に固定されるガイドシュー３を介してガイドレール１に与えられる乗かご６に付加された偏荷重による影響が軽減され、この乗かご６に付加された偏荷重によるガイドレール１に対するガイドシュー３の押し付け力を小さくすることができる。また、楔部材３によって上述のように変位した乗かご６は、その変位した位置に保持される。
【００２３】
なお、このときの乗かご６の変位方向は、図４のＹ方向に含まれる方向である。また、楔部材５の押し込み位置を調節することにより、乗かご６の変位量を調整することができる。例えば、楔部材５を下方へ深く押し込む程、乗かご６を大きく変位させることができる。
【００２４】
図４のＹ方向と直交するＸ方向に対して乗かご６の位置を調整する場合には、図示しない荷締めバンド等を利用して、交換する摺接部３ｂが備えられているガイドシュー３が係合するガイドレール１とは反対側に位置するガイドレール１と乗かご６とを縛り上げることによって行なわれる。
【００２５】
このように構成した本実施形態に係るガイドシュー交換治具によれば、ガイドシュー３の摺接部３ｂの交換に際し、上述したように、てこの原理によって、乗かご６に付加された偏荷重による影響を軽減させ、ガイドレール１に対するガイドシュー３の押し付け力を小さくすることができる。これによって、ガイドシュー３の摺接部３ｂの交換を容易に行なうことができ、この交換作業の能率を向上させることができるとともに、交換作業者の負担を軽減させることができる。また、本実施形態は、先端部４ａ、操作部４ｂ、及び当接部４ｃを有する本体部材４と、楔部材５とを備えた簡単な構成であるとともに、本体部材４の長手方向と直交する幅方向の寸法を、ガイドレール１の長手方向と直交する方向のガイドレール１の寸法に比べて小さく設定してあることから、小型化を実現させることができ、優れた運搬性を確保することができる。
【００２６】
また、本体部材４が剛性を有する金属板から成るので、楔部材５との間に大きな接触面積を確保でき、これにより、ガイドレール１と本体部材４の操作部４ｂとの間に楔部材５を安定して挿入させることができ、てこの原理の有効活用に貢献する。
【００２７】
また、落下防止部を兼ねる本体部材４の当接部４ｃによって、交換作業中の本体部材４の落下を防ぐことができるので、本体部材４の落下の懸念なくガイドシュー３の摺接部３ｂの交換を容易に行なうことができ、交換作業の能率向上に貢献する。
【００２８】
また、楔部材５が弾性体から成るので、この楔部材５が接触するガイドレール１及び本体部材４の損傷を防ぐことができ、信頼性の高い交換作業を実現させることができる。
【符号の説明】
【００２９】
１    ガイドレール
３    ガイドシュー
３ａ  シューボックス
３ｂ  摺接部
４    本体部材
４ａ  先端部
４ｂ  操作部
４ｃ  当接部
５    楔部材
６    乗かご
７    外れ止め部材
【図１】
2011093641.tif 000003
【図２】
2011093641.tif 000004
【図３】
2011093641.tif 000005
【図４】
2011093641.tif 000006
【図５】
2011093641.tif 000007